(57)【要約】      （修正有）【課題】携帯情報処理装置の本体の外部から加わるユーザーの行う動作による誤動作を軽減し、その有用性や応用可能性を拡大することが可能な携帯情報装置およびその操作方法を提供する。【解決手段】携帯情報処理装置１の内部には、加速度センサ２を備え、この加速度センサで装置１の外部から加えられたユーザーの動作を検出し、この検出された動作に対応して、対応するバイブレータ７を振動させる。さらに検出された動作に対応する予め設定されたアプリケーションを起動することにより、ユーザーはバイブレータ７の振動により自分の動作が装置１でどのように検出されたかを認識することができるので、誤動作を低減することが可能となる。【選択図】図１
2006333355.tif 000002
【特許請求の範囲】
【請求項１】
予め設定された動作量に対応するアプリケーションが記録されている携帯情報処理装置に
おいて、
この装置本体に外部から加えられた動作を検出する動作検出手段と、
前記動作検出手段で検出された動作が前記動作検出手段の検出範囲以上の動作量であるか
どうか判断する動作判断手段と、
前記動作判断手段で前記検出範囲以上であると判断された動作量に対応するユーザーが体
感可能な体感信号を発生する体感信号発生手段と、
前記動作判断手段で前記検出範囲以上であると判断された動作量と前記予め設定された動
作量が一致するかどうかの判断し、一致すると判断した場合に前記予め設定された動作量
に対応するアプリケーションを起動させる制御手段とを具備することを特徴とする携帯情
報処理装置。
【請求項２】
前記制御手段には前記予め設定された動作量に対応するアプリケーションを設定する設定
手段をさらに具備することを特徴とする請求項１に記載の携帯情報処理装置。
【請求項３】
前記動作検出手段が加速度センサからなることを特徴とする請求項１乃至２に記載の携帯
情報処理装置。
【請求項４】
前記体感信号発生手段はバイブレータからなることを特徴とする請求項１乃至３に記載の
携帯情報処理装置。
【請求項５】
前記バイブレータは前記装置本体に複数個設置され、各前記バイブレータは前記装置本体
に外部から加えられた動作の方向に対応して設置されていることを特徴とする請求項４に
記載の携帯情報処理装置
【請求項６】
予め設定された動作量に対応するアプリケーションが記録されている携帯情報処理装置に
おいて、
この装置本体に外部から加えられた動作を検出する動作検出手段と、
前記動作検出手段で検出された動作が前記動作検出手段の検出範囲以上の動作量であるか
どうか判断する動作判断手段と、
前記動作判断手段で前記検出範囲以上であると判断された動作量に対応するユーザーが体
感可能な体感信号を発生する体感信号発生手段と、
前記動作判断手段で前記検出範囲以上であると判断された動作量と前記予め設定された動
作量が一致するか判断し、一致すると判断した場合に前記予め設定された動作量に対応す
るアプリケーションを動作させるコマンドを回路通信を介して無線接続されている他の携
帯情報処理装置に送信する通信手段とを具備することを特徴とする携帯情報処理装置。
【請求項７】
予め設定された動作量に対応するアプリケーションが記録されている携帯情報処理装置に
おいて、
この装置本体に外部から加えられた動作を検出する動作検出手段と、
前記動作検出手段で検出された動作量に対応する振動量に基づいて前記装置本体を振動さ
せる振動発生手段と、
前記動作検出手段で検出された動作量が前記設定された動作量に一致するかどうか判断し
、一致すると判断した場合に前記予め設定された動作量に対応するアプリケーションを制
御する制御手段とを具備することを特徴とする携帯情報処理装置。
【請求項８】
所定の動作量に対応するアプリケーションを設定する工程と、
装置本体に外部から加えられた動作を検出する工程と、
前記検出された動作が検出範囲以上であるかどうか判断する工程と、
前記検出範囲以上であると判断された動作量に対応するユーザーが体感可能な体感信号を
発生する工程と、
前記検出範囲以上であると判断された動作量と前記設定された所定の動作量が一致するか
どうか判断し、一致すると判断した場合に前記所定の動作量に対応するアプリケーション
を起動させる工程とを具備することを特徴とする携帯情報処理装置の操作方法。
【請求項９】
所定の動作量に対応するアプリケーションを設定する工程と、
装置本体に外部から加えられた動作を検出する工程と、
前記検出された動作量に対応する振動量に基づいて前記装置本体を振動させる工程と、
前記検出された動作量と前記設定された所定の動作量が一致するかどうか判断し、一致す
ると判断した場合に前記所定の動作量に対応する前記アプリケーションを動作させる工程
とを具備することを特徴とする携帯情報処理装置の操作方法。
【請求項１０】
所定の動作量に対応するアプリケーションを設定する工程と
装置本体に外部から加えられた動作を検出する工程と、
前記検出された動作が検出範囲以上であるかどうか判断する工程と、
前記検出範囲以上であると判断された動作量に対応するユーザーが体感可能な体感信号を
発生する工程と、
前記検出範囲以上であると判断された動作量が前記設定された所定の動作量と一致するか
どうか判断し、もし一致する判断した場合に前記所定の動作量に対応するアプリケーショ
ンを動作させるコマンドを回路通信を介して無線接続されている他の携帯情報処理装置に
送信する工程とを具備することを特徴とする携帯情報処理装置の操作方法。
【請求項１１】
前記送信する工程の前に前記検出範囲以上であると判断された運動量と前記設定された所
定の動作量と一致した場合に前記所定の動作量に対応するアプリケーションを表示する工
程とをさらに具備することを特徴とする請求項１０に記載の携帯情報処理装置の操作方法
。
【請求項１２】
前記表示されたアプリケーションが承認されたどうかを判断する工程とをさらに具備する
ことを特徴とする請求項１１に記載の携帯情報処理装置の操作方法。
【発明の詳細な説明】
【技術分野】
【０００１】
本発明は、ＰＤＡ（パーソナルデジタルアシスタンス）や携帯電話機等の携帯情報通信
装置に係わり、特に操作性の向上を図った携帯情報処理装置およびその操作方法に関する
。
【背景技術】
【０００２】
近年、携帯電話機や携帯情報端末等の携帯情報処理装置は、電話通信するだけではなく、
画像処理したり、音楽を録音、再生したりするなど、より大きくの機能を持つようになり
、その普及にともなって、携帯情報処理装置へのさらなる機能の使用の期待が高くなって
きている。
【０００３】
しかしながら、例えば画像データの表示状態、音楽データの再生、または他との端末との
通信の制御を行う場合には、端末のキー入力部に設けられた所定のカーソルキーやファン
クションキー等の機能キーまたは、テンキーのスイッチ群を操作したり、もしくは電子ペ
ン等での入力をしたり、ユーザーが指先で操作する必要がある。
【０００４】
つまり、端末とユーザーとの関係をみるとユーザーは聴覚で送受信し、視覚で表示を確認
したり、または手指でボタン等のスイッチ群を操作したり、端末を使用しているユーザー
と携帯電話機はほぼ一定位置関係にあるように姿勢を保っている。即ちユーザーの身体の
やや大きな局部的な運動は携帯電話等の端末とは従来関係がなく、従来の技術はまだその
使用の可能性を十分に生かしていないという問題があった。
【０００５】
この問題を解決するために、例えば特開２００１−２７２４１３号では、携帯電話機に従
来関係のなかったユーザーの運動を検知させる機能を付加して、つまり、携帯電話機に加
速度センサあるいは角度センサを設け、それぞれのセンサが加速度あるいは角度を検知し
、その出力を表示する機能を付与し、また更にその出力を用いてゲームあるいは相互通信
のような新たな情報表示と処理の機能を付与して、情報機器あるいは携帯情報端末機器と
してのより高い利用価値を持たせる携帯電話機が提案されている。
【０００６】
よって、携帯電話機に運動検出機能を付加したことにより、携帯電話機に対する人の行う
運動に関する情報処理機能を付与し、携帯電話機の有用性や応用可能性を拡大することが
できるという効果が得られる。
【特許文献１】特開２００１−２７２４１３号公報
【発明の開示】
【発明が解決しようとする課題】
【０００７】
従来の携帯電話機では、携帯電話機に対する人の行う運動に関する情報処理機能を付与し
、携帯電話機の有用性や応用可能性を拡大することができる。しかしながら、ユーザーの
行う運動、例えば携帯電話機を振ったり、叩いたりする動作を加速度センサまたは角度セ
ンサで検知して、携帯電話機の操作を制御するだけなので、ボタン等の決まった操作キー
をユーザーが操作したり、電子ペンの入力するのとは異なり、その動作をどのように携帯
電話機が検出し、またそれが、携帯電話機のある機能を操作するのに必要な動作であった
かどうかどうだか判断する機能がないので、誤動作をしたり、ユーザーの意図しない携帯
電話機の機能を制御してしまう可能性があった。
【０００８】
また、携帯電話機に対するユーザーの行動をユーザーが自分で確認するための機能がない
ので、ユーザーがなぜ意図した携帯電話機の機能が制御されなかったか認識できないので
、意図した機能を処理するのに時間がかかったり、誤動作が繰り返し起ってしまったりす
る可能性があった。従って、ユーザーの行う動作を検出する加速度センサまたは角度セン
サを付与したが、その機能の十分な効果が得られないということがあった。
【０００９】
本発明は上記問題点を解決するためになされたもので、携帯情報処理装置に対するユーザ
ーの行う動作を検出して、その動作をユーザーが自分で認識できることで、誤動作を軽減
する携帯情報処理装置およびその操作方法を提供することを目的とする。
【課題を解決するための手段】
【００１０】
上記目的を達成するために第１の本発明による予め設定された所定の動作量に対応するア
プリケーションが記録されている携帯情報処理装置において、この装置本体に外部から加
えられた動作を検出する動作検出手段と、この動作検出手段で検出された動作が動作検出
手段の検出範囲以上の動作量であるかどうか判断する動作判断手段と、この動作判断手段
で検出範囲以上であると判断された動作量に対応するユーザーが体感可能な体感信号を発
生する体感信号発生手段と、この動作判断手段で検出範囲以上であると判断された動作量
と予め設定された所定の動作量が一致するかどうかの判断し、一致すると判断した場合に
この予め設定された所定の動作量に対応するアプリケーションを起動させる制御手段とを
具備することを特徴とする。
【００１１】
また、上記目的を達成するための第２の本発明による予め設定された所定の動作量に対応
するアプリケーションが記録されている携帯情報処理装置において、この装置本体に外部
から加えられた動作を検出する動作検出手段と、この動作検出手段で検出された動作が動
作検出手段の検出範囲以上の動作量であるかどうか判断する動作判断手段と、この動作判
断手段で検出範囲以上であると判断された動作量に対応するユーザーが体感可能な体感信
号を発生する体感信号発生手段と、この動作判断手段で検出範囲以上であると判断された
動作量と予め設定された動作量が一致するか判断し、一致すると判断した場合にこの予め
設定された動作量に対応するアプリケーションを動作させるコマンドを回路通信を介して
無線接続されている他の携帯情報処理装置に送信する通信手段とを具備することを特徴と
する。
【００１２】
さらに上記目的を達成するための第３の本発明による予め設定された所定の動作量に対
応するアプリケーションが記録されている携帯情報処理装置において、この装置本体に外
部から加えられた動作を検出する動作検出手段と、この動作検出手段で検出された動作量
に対応する振動量に基づいてこの装置本体を振動させる振動発生手段と、この動作検出手
段で検出された動作量が予め設定された所定の動作量に一致するかどうか判断し、もし一
致すると判断した場合には、その運動量に対応する予め設定された前記アプリケーション
を制御する制御手段とを具備することを特徴とする。
【００１３】
さらに上記目的を達成するための第４の本発明による所定の動作量に対応するアプリケ
ーションを設定する工程と、装置本体に外部から加えられた動作を検出する工程と、
前記検出された動作が検出範囲以上であるかどうか判断する工程と、前記検出範囲以上で
あると判断された動作量に対応するユーザーが体感可能な体感信号を発生する工程と、
前記検出範囲以上であると判断された動作量と設定された所定の動作量が一致するかどう
か判断し、一致すると判断した場合にこの所定の動作量に対応するアプリケーションを起
動させる工程とを具備することを特徴とする。
【００１４】
さらに上記目的を達成するための第５の本発明による所定の動作量に対応するアプリケ
ーションを設定する工程と、装置本体に外部から加えられた動作を検出する工程と、前記
検出された動作量に対応する振動量に基づいて前記装置本体を振動させる工程と、前記検
出された動作量と設定された所定の動作量が一致するかどうか判断し、一致すると判断し
た場合にこの所定の動作量に対応するアプリケーションを動作させる工程とを具備するこ
とを特徴とする。
【００１５】
さらに上記目的を達成するための第６の本発明による所定の動作量に対応するアプリケー
ションを設定する工程と、装置本体に外部から加えられた動作を検出する工程と、この検
出された動作が検出範囲以上であるかどうか判断する工程と、この検出範囲以上であると
判断された動作量に対応するユーザーが体感可能な体感信号を発生する工程と、この検出
範囲以上であると判断された動作量が設定された所定の動作量と一致するかどうか判断し
、もし一致する判断した場合にこの所定の動作量に対応するアプリケーションを動作させ
るコマンドを回路通信を介して無線接続されている他の携帯情報処理装置に送信する工程
とを具備することを特徴とする。
【発明の効果】
【００１６】
本発明によれば、携帯情報処理装置に対するユーザーの行う動作による誤動作を軽減する
ことができるという効果が得られる。
また本発明によれば、携帯情報処理装置の有用性や応用可能性を拡大することができると
いう効果が得られる。
【発明を実施するための最良の形態】
【００１７】
以下、本発明の一実施例の形態による携帯情報処理装置を図面を用いて詳細に説明する。
本実施形態は、ＰＤＡに本発明を適用した例である。
【００１８】
まず、図１を参照して、携帯情報処理装置の構成の概要を説明する。図１は本発明の一実
施例の形態におけるＰＤＡの概観を示す概要図である。
【００１９】
ここで、図１（ａ）はＰＤＡ１の表面の構成を示す概要図である。ＰＤＡ１にはその表面
に配置された多数のスイッチまたはボタンからなる操作スイッチ群３がある。この操作ス
イッチ群３はＰＤＡ１の表面だけでなく、側面もしくは裏面にあってもよい。この操作ス
イッチ群３はこの所定の操作スイッチを操作することにより、メールを送信したり、着信
したり、各種のアプリケーションを実行することが可能となる。
【００２０】
またＰＤＡ１には液晶等の表示装置４が配置されており、メールアドレス、相手の氏名、
メールの通信文、各種の機能のメニュー等を表示するものである。また携帯電話機１の右
上の装置内部にはＰＤＡ１に対するユーザーの動作を検出する加速度センサ２を配置して
いる。
【００２１】
ここで「ユーザーの動作」とはユーザーがＰＤＡ１の本体に対する外部から物理的な動作
を行うことをいい、操作スイッチ群３を使用して指先で携帯電話機１を操作することとは
異なる動作を示す。この加速度センサ２は例えば、角速度センサ等を組み合わせて構成し
てもよい。
【００２２】
さらにＰＤＡ１の表面にはマイクロフォン５およびスピーカー６の出力口も配置されてお
り、これらは通話時に使用したり、アラームに使用される。また図示しないイヤホンの接
続端子より音楽や、メッセージを視聴したりすることも可能である。
【００２３】
また、図１（ｂ）は携帯電話機１の裏面の構成を示す概要図である。携帯電話機１には、
携帯電話機１自身の振動させるバイブレータ７（Ａ）〜（Ｅ）が十文字に配置されている
。本実施例は複数のバイブレータ７がＰＤＡ１の裏面（表示装置４の裏側）に配置されて
いるが、バイブレータを使用する場合には少なくとも１つのバイブレータでもいいし、Ｐ
ＤＡ１の側面等に設けられてもいい。
【００２４】
ここで、加速度センサ２は例えば、市販されている３軸加速度センサであり、高さが２ｍ
ｍ、幅奥行きとともに約５ｍｍのサイズのパッケージとなっている。この加速度センサ２
は図２で示されているようにＸ、Ｙ、Ｚの３軸方向の加速度を検出することができる。図
２は本発明の一実施例の形態における加速度センサの検出する方向とそれに対応するバイ
ブレータの配置を示す概要図である。装置によっては２軸方向の加速度を検出するもので
あってもよい。このような加速度センサは、エアバック装置に衝突時の加速度を検出する
ものとして使用されている。本実施例では、ＰＤＡ１をある特定の加速度以上、つまり加
速度センサ２の検出範囲以上の加速度でＰＤＡ１を直接振ったときに加速度を検出し、そ
の検出に応じて信号を出力するようになっている。
【００２５】
例えば、図２のようにＰＤＡ１の表示表面の水平面方向の＋Ｘ軸方向に加速度センサ２の
検出範囲以上の加速でＰＤＡ１を振った場合にはその検出に応じて信号を出力し、それに
応じてその方向に対応するバイブレータ７（Ｂ）を所定の期間、間隔で振動させる。一方
ＰＤＡ１の表示表面の水平面方向の−Ｘ軸方向に加速度センサ２の検出範囲以上の加速で
ＰＤＡ１を振った場合にはその検出に応じて信号を出力し、それに応じてその方向に対応
するバイブレータ７（Ｄ）を所定の期間、間隔で振動させる。
【００２６】
同様に表示表面の水平面方向の＋Ｙ軸方向に加速度センサ２の検出範囲以上の加速度で振
った場合にはその検出に応じて、対応するバイブレータ７（Ａ）を所定の期間、間隔で振
動させ、―Ｙ軸方向に加速度センサ２の検出範囲以上の加速度で振った場合にはその検出
に応じて、対応するバイブレータ７（Ｃ）を所定の期間、間隔で振動させる。
【００２７】
またＰＤＡ１の表示面に対して垂直方向の＋Ｚ軸方向に加速度センサ２の検出範囲以上の
加速度で直接振った場合にはその検出に応じて、対応するバイブレータ７（Ｅ）を所定の
期間、間隔で振動させる。一方―Ｚ軸方向に加速度センサ２の検出範囲以上の加速度で振
った場合にはその検出に応じて、対応するバイブレータ７（Ｅ）を所定の期間、間隔で振
動させる。ここでＺ軸については＋方向と−方向でバイブレータ７（Ｅ）を振動させる期
間、間隔を変えることで、方向の違い認識するようにする。
【００２８】
このようにＰＤＡ１に対して振った方向に応じて、それに対応するＰＤＡ１の裏面に配置
されたバイブレータ７を振動させることによりユーザーが行った動作をユーザー自身で体
感し認識することができる。ここで、バイレータ７は複数でなくても、一つでもよい。一
つの場合はそれぞれの方向によって振動の強さを変えたり、リズムを変えたり、振動間隔
を変えたりして、どちらの方向に携帯電話機１を振動させたかをユーザーが認識できるよ
うにすればよい。
【００２９】
次に、図３を用いて、本実施例のＰＤＡの回路構成について説明する。ここで、図３は本
発明の一実施例におけるＰＤＡの回路構成の概要図である。
【００３０】
ＰＤＡ１には加速度センサ２が設置されており、携帯電話機１に対してユーザーが行った
動作を検出し、ある特定の方向に検出範囲以上の加速度を検出すると、その検出に応じた
出力信号を制御装置１１に送信する。制御装置１１は加速度センサ２の出力信号に応じて
、予め対応づけてあるバイブレータ７（Ａ）から（Ｅ）に対して、所定の期間、間隔で振
動させるように制御信号をバイブレータ制御装置１２に送信する。
【００３１】
バイブレータ制御装置１２は制御装置１１から送信されてきた制御信号に基づいて、対応
するバイブレータ７（Ａ）から（Ｅ）を振動させる。また制御装置１１は加速度センサ２
の出力信号に応じて、予め設定してある所定のアプリケーション（例えば、特定のメッセ
ージを表示したり、またはメッセージを送信する。）を制御するように表示制御装置１４
および／または送受信制御装置１５に処理信号を送信する。処理信号を受信した表示制御
装置１４および／または送受信制御装置１５は、その信号に応じて、予め設定してある所
定のアプリケーションを実行し、特定の内容を表示したり、メッセージを送受信したりす
る。
【００３２】
ここで、本実施例では制御装置１１が制御しているアプリケーションの制御装置として表
示制御装置１４または送受信制御装置１５のみ示しているが、例えば、音楽再生装置、ゲ
ームソフト再生装置等、そのＰＤＡが可能なアプリーションを起動したり、実行するのに
必要な装置はこれらの制御装置に含まれる。
【００３３】
また、本実施例では、制御装置１１は加速度センサ２が検出に応じた出力信号に応じて、
予め対応づけてあるバイブレータ７（Ａ）〜（Ｅ）を制御するバイブレータ制御装置１２
に制御信号を送信するが、出力信号に応じて、スピーカー６により所定の音声（例えば、
Ｘ軸方向の振動の場合は、鳥の声等を出す）を発生するようにすることも可能である。そ
の場合は、制御装置１１よりスピーカー６等を制御する音声発生制御手段１３に制御信号
を送信する。
【００３４】
さらにユーザーがＰＤＡ１に対して所定の動作（Ｘ軸方向に３回振る等）を行うと、所定
のアプリケーション（メッセージを表示する等）を起動させる等のアプリケーションの設
定をしたり、およびその設定を記憶する設定制御装置１６が設置されている。
【００３５】
ここで、本実施例の操作方法について図４を用いて説明する。図４は本発明の一実施例の
形態によるＰＤＡの操作方法を示したフローチャートである。
【００３６】
まず、ＰＤＡ１に対して、ユーザーがある動作を行った（例えば、ある特定方向に振る）
場合、加速度センサ２でその動作の方向、加速度の大きさ、振った回数を検出する（ステ
ップＳ１）。次に検出されたユーザーの動作が加速度センサ２の検出範囲以上であるかど
うか判断する（ステップＳ２）。たとえば、ある市販されている３軸加速度センサでは、
±３ｇの加速度が検出範囲となっている。
【００３７】
さらに加速度センサ２より、その検出に応じた出力信号を制御装置１１に送信し、制御装
置１１はその出力信号に応じて、バイブレータ制御装置１２に予め設定された所定のバイ
ブレータ７を振動させるように制御信号を出力して、所定のバイブレータ７を所定の期間
、間隔で振動させる（ステップＳ３）。
【００３８】
次に加速度センサ２で検出されたユーザーの動作が予め設定された回数および間隔で検出
されたかどうか判断する（ステップＳ４）。もし、検出されたユーザーの動作が加速度セ
ンサ２の検出範囲以上であり、かつ予め設定された回数および間隔で検出された場合には
、制御装置１１は加速度センサ２により検出された携帯電話機１に対するユーザー動作に
応じた加速度センサ２からの出力信号に応じて、予めユーザーが設定制御装置１６で設定
してあるユーザーの動作に対応した所定のアプリケーション、例えば表示制御装置１４ま
たは送受信制御装置１５を制御することにより起動する（ステップＳ５）。（例えば、特
定のメッセージを表示する。）
【００３９】
次にユーザーが所定のユーザーの動作に対する所定のアプリケーションを設定する方法に
ついて図５および図６を用いて説明する。図５は本発明の一実施例の形態によるＰＤＡで
の動作およびアプリケーションの設定方法を示したフローチャートである。図６は本発明
の一実施例の形態によるＰＤＡでの特定の動作を設定する画面である。
【００４０】
まず、設定メニューを起動させる（ステップＳ１１）。設定メニューが起動すると次にユ
ーザーＩＤを入力する画面が表示され、ユーザーＩＤを入力する（ステップＳ１２）。入
力されたＩＤが設定されたＩＤと同じかどうか判断する（ステップＳ１３）。もし、入力
されたＩＤが設定されたＩＤと同じであれば、所定の動作を入力する画面が表示され、特
定の動作を入力する（ステップＳ１４）。
【００４１】
例えば、所定の動作を入力する画面として図６に示すような画面が表示装置４に表示され
る。ユーザーは操作スイッチ群３を使用して、どの方向の動作にするか決定し、その方向
にチェックし、その回数および間隔等について、括弧内に数字を入力する。一方、入力し
たユーザーＩＤが同じでない場合は設定メニューを終了する。
【００４２】
その後登録ボタンを入力すると、入力した方向、回数、および間隔が既に記録されている
かどうかを判断する（ステップＳ１５）。もし記録されていない場合には、その入力した
動作に対応するアプリケーションを入力する（ステップＳ１６）。
【００４３】
例えば、アプリケーションの入力には図示しないアプリケーション一覧表等のリストを使
用し、リストから一つのアプリケーションを選択して、登録することによっても実現する
ことができる。一方、入力した動作が既に登録されている場合は、再度所定の動作を入力
する画面に戻る。そして、再度、新たな所定の動作の入力を促す。
【００４４】
その後、入力されたアプリケーションが既に登録されているかどうかを判断する（ステッ
プＳ１６）。もし登録されていない場合には全ての設定内容を記録する（ステップＳ１７
）。
【００４５】
ここで、再度に設定した内容、つまり所定の動作とそれに対応したアプリケーションを表
示画面４に表示させて、確認してから登録するようにしてもよい。さらに、動作の設定内
容として、対応するバイブレータ７を特定（例えば、＋Ｘ軸方向の場合はバイブレータ７
（Ｂ））して、振動する間隔や時間を設定できるようにしてもよい。また、動作の方向と
して＋Ｘ軸方向および−Ｘ軸方向のように両方向を設定して登録しておくことで往復する
動作を登録することも可能である。例えば、バイブレータ７が１つしかない場合には動作
の軸方向によって振動する間隔や時間を設定するようにしてもよい。
【００４６】
図５では、設定のやり方を例に説明したが、既に記録されている所定の動作に対応する所
定のアプリケーションを変更するようにすることも可能である。例えば、その場合もユー
ザーＩＤを確認後、アプリケーション一覧表より特定のアプリケーションを選択し、既に
登録されている対応する動作を表示し、それを変更することにより実現できる。
【００４７】
次に具体的な操作方法について動作内容とおよびそれに対応したバイブレータ７の振動お
よびアプリケーション起動の例について述べる。電源をＯＮにして、ユーザーがＰＤＡ１
を＋Ｘ軸方向に２回振る。するとその動作が加速度センサ２の検出範囲以上であれば、バ
イブレータ７（Ｂ）を所定の間隔、時間（例えば、０．１間隔で各０．２秒間）振動し、
その振動をユーザーは体感し、ＰＤＡ１がその動作を認識したことがわかる。さらにその
動作に予め設定してある動作と一致すれば、それに対応するアプリケーション、例えばナ
ビゲーションソフトが登録されていると、ナビゲーションソフトを起動する。
【００４８】
また次のような関連するＰＤＡ１の操作についても本発明を起用することができる。例え
ば、音楽ソフトを再生させる場合は、電源をＯＮして、ＰＤＡ１を＋Ｚ方向に１回振る。
その動作が加速度センサ２の検出範囲以上であれば、バイブレータ７（Ｅ）が１回（例え
ば、０．５秒間）振動し、この動作が予め設定されている動作と一致すれば、対応する音
楽再生ソフトが起動する、さらにその状態でＰＤＡ１を＋Ｘ方向に１回振る。その動作が
加速度センサ２の検出範囲以上であれば、バイブレータ７（Ｂ）が１回（例えば、０．５
秒間）振動し、その動作が登録されている動作と一致すれば、対応する音楽再生を開始す
る。
【００４９】
さらにその状態でＰＤＡ１を＋Ｘ方向に２回振る。その動作が加速度センサ２の検出範囲
以上であれば、バイブレータ７（Ｂ）が２回（例えば、０．１秒間隔で各０．２秒間）振
動して、その動作が記録されている動作と一致すれば、次の曲に進む。このように音楽再
生ソフト起動について一連の動作（例えば、ソフト起動、再生、早送り、巻き戻し、停止
、終了）をまとめて登録しておくことも可能である。
【００５０】
さらに身体障害者等の指先が不自由な方の連絡ツールとしても本発明を起用できる。例え
ば、電源をＯＮにして、ユーザーがＰＤＡ１本体を＋Ｚ軸方向に１回振る。その動作が加
速度センサ２の検出範囲以上であれば、バイブレータ７（Ｅ）が所定の期間で振動する。
するとユーザーは自分で自分の行った動作を確認することができる。さらにその動作が登
録されていると一致すれば、対応するメッセージ、例えば「食事の用意してください。」
を表示画面４に表示する。
【００５１】
さらにＰＤＡ１を＋Ｘ軸方向に１回振ると、その動作が検出範囲以上であれば、バイブレ
ータ７（Ｂ）が所定の期間振動する。そしてその動作が記録されている動作と一致すれば
、対応するアプリケーションが実施、例えばメッセージの表示が終了する。このように指
先が不自由な身体障害者等が指先等で操作スイッチ群３を操作しなくても、ＰＤＡ１に対
して動作することにより、所望のメッセージを表示して、意思疎通することが可能となる
。
【００５２】
本実施例によれば、ユーザーがＰＤＡ１に対して、加速度センサ２の検出範囲内で動作す
ると、その動作方向に対応したバイブレータ７が振動するので、もしＰＤＡ１が落ちたり
、またはＰＤＡ１に対するちょっとした動作では、加速度センサ２の検出範囲を超えない
ので動作は検出されない。よって、このようなユーザーが意図しない動作に基づく誤動作
を防ぐことができる。
【００５３】
さらにユーザーがＰＤＡ１に対する自分の動作を体感できるので、ＰＤＡ１がユーザー動
作をどのように検知したか認識できるので、誤動作を防ぐことができる。つまり、ユーザ
ーとしては＋Ｘ軸方向に２回振ったつもりでも、ＰＤＡ１の加速度センサ２が１回しか認
識しないとバイブレータ７（Ｂ）は１回しか振動しない。よって、ユーザーはバイブレー
タ７の振動により、自分の動作がＰＤＡ１に正しく検出されなかったことを認識すること
ができ、誤動作の原因がわかる。また、誤動作の原因を認識することで、再度所定の動作
を行う時にどのように動作すればいいのかが、わかり、誤動作を低減することができる。
【００５４】
さらに本実施例によれば、所定のアプリケーションを起動するために、操作スイッチ群３
を指等で操作する必要がなく、ＰＤＡ１に対して所定の動作をするだけで、ユーザーの意
図するアプリケーションを起動できるので、手の先がつかえない状況での作業中や暗い中
で作業中、指等を怪我して細かい指の動作ができない場合等に有効に使用でき、ＰＤＡ１
の有用性や応用可能性を拡大することができる。
【００５５】
さらにユーザーによって所定の動作に対応するアプリケーションを設定するのにユーザー
ＩＤを確認するので、第３者がかってに設定内容を変えられることがない。よって動作設
定の機密性が保たれ、ＰＤＡ１の有用性を拡大することができる。
【００５６】
次に本発明の他の実施例におけるＰＤＡの操作方法について図７を用いて説明する。図７
は本発明の一実施例の形態による他の操作方法を示したフローチャートである。本実施例
は本発明をＰＤＡ１（Ａ）に無線接続された他のＰＤＡ１（Ｂ）間のやりとりに適用した
操作方法である。
【００５７】
まず、ＰＤＡ１（Ａ）より無線接続された特定のＰＤＡ１（Ｂ）へ特定のコマンドを送信
する（ステップＳ２１）。特定のコマンドを送信するのは従来のように指先で操作スイッ
チ群３を操作して行ってもいいし、本発明のようにＰＤＡ１（Ａ）に対する動作により特
定のコマンドを送信してもよい。
【００５８】
次にＰＤＡ１（Ｂ）は、受信したコマンドに基づき所定のバイブレータを所定の間隔で振
動させる（ステップＳ２２）。ＰＤＡ１（Ｂ）のユーザーは所定のバイブレータの振動に
より、ＰＤＡ１（Ａ）からあるコマンドが送信されてきたことを認知する。それによって
ＰＤＡ１（Ｂ）のユーザーはそのコマンドに対して、ＰＤＡ１（Ｂ）に対して所定の動作
を行い、ＰＤＡ１（Ｂ）の加速度センサ２はユーザーの動作を検出する（ステップＳ２３
）。
【００５９】
この加速度センサ２は検出された動作が検出範囲以上であるかどうかを判断する（ステッ
プＳ２４）。もし検出範囲以上であれば、その検出された動作に対応して所定のバイブレ
ータを所定時間、所定間隔で振動させる（ステップＳ２５）。一方、検出範囲より小さい
場合はこのルーチンは終了する。
【００６０】
次に検出された動作が設定された方向に回数および間隔が検出されたかどうかを判断する
（ステップＳ２６）。もし設定された方向に回数および間隔で検出された場合は対応する
アプリケーションの起動を表示画面４に表示する（ステップＳ２７）。
【００６１】
ＰＤＡ１（Ｂ）のユーザーは表示されたアプリケーションが所望のアプリケーションか確
認し、もし所望のアプリケーションであれば、承認したことを示す動作をＰＤＡ１（Ｂ）
に対して行う。一方で所望のアプリケーションでない場合には拒否したことを示す動作を
ＰＤＡ１（Ｂ）に対して行う。するとＰＤＡ１（Ｂ)は承認の動作をしたかどうかを判断
する（ステップＳ２８）。
【００６２】
もし承認の動作があれば、ＰＤＡ１（Ａ）において所望のアプリケーションを起動させる
コマンドを特定のＰＤＡ１（Ａ）に送信する（ステップＳ２９）。一方、承認の動作がな
かったり、拒否する動作を認識した場合にはふたたび、新たなＰＤＡ１（Ｂ）のユーザー
の動作を検出する。
【００６３】
さらにＰＤＡ１（Ａ）はＰＤＡ１（Ｂ）より受信したコマンドに基づき所望のアプリケー
ションが起動される（ステップＳ３０）。
【００６４】
本実施例の具体的な例について次に説明する。例えば、デイケアセンターのＰＤＡ１（Ａ
）から例えば担当の患者に対して、健康状態を尋ねるメッセージを送信する場合に使用で
きる。もしその患者が手先が不自由な方や身体障害者である場合でも、指先を使用せずに
ＰＤＡを使用してデイケアセンターとのやりとりが可能となる。
【００６５】
具体的には、デイケアセンターのＰＤＡ１（Ａ）から例えば担当の患者に対して、健康状
態を尋ねるメッセージを送信し、患者のＰＤＡ１（Ｂ）はそのメッセージを受信したこと
により、所定のバイブレータ７を所定の間隔および時間で振動させる。これにより患者は
その振動によりデイケアセンターからメッセージが来たことを認識する。
【００６６】
それにより患者はデイケアセンターに対して健康状態をＰＤＡ１（Ｂ）に対する動作、例
えば、健康状態がいい場合には＋Ｘ軸方向に１回、あまりよくない場合には＋Ｙ軸方向に
１回、体調が悪いのですぐ着て欲しい場合には＋Ｚ軸方向に１回振り、その動作に対して
、患者のＰＤＡ１（Ｂ）の加速度センサ２が検出して、その検出範囲であれば、それに対
応するバイブレータ７を所定時間振動させる。患者は自分の動作をＰＤＡ１（Ｂ）がきち
んと認識しているかどうかを把握することができる。
【００６７】
もし、自分の思った方向や回数で認識していない場合は、また再度、ＰＤＡ１（Ｂ）に対
して正しい動作を行うことができる。ＰＤＡ１（Ｂ）は検出した動作に基づいて、対応す
るアプリケーションを表示し、患者は所望のアプリケーションであれば、承認の動作を行
い、ＰＤＡ１（Ｂ）はその承認の動作を検出すれば、デイケアセンターのＰＤＡ１（Ａ）
に所定のメッセージ等を送信する等のＰＤＡ１（Ａ）で患者が所望したアプリケーション
が起動する。送信されてきたメッセージによりデイケアセンターでは担当の患者の健康状
態を認識することができ、緊急の場合でもすぐに対応することができる。
【００６８】
ここで、本実施例では、デイケアセンターからの要求により患者が健康状態を送信したが
、緊急の場合は、患者の方から、緊急状況を求めるメッセージをＰＤＡ１（Ｂ）に対する
動作によって医療センターに送信してもいい。すると担当の医師等の携帯電話機に直接通
信し、例えば、その携帯電話機のバイブレータが振動したり、電話が着信したりすること
も可能である。
【００６９】
また、本実施例では、作業センターから各作業者への通信に使用することも可能である。
例えば、作業者が特殊作業中であり、指先がつかえない状況、たとえば手袋をしていて細
かい操作スイッチ群３の操作ができない場合にも使用できる。
【００７０】
例えば、作業センターのＰＤＡ１（Ａ）から無線接続された作業者のＰＤＡ１（Ｂ）に対
して、次の作業の指示を与えるためのコマンドを送信する。作業中の作業者は自分のＰＤ
Ａ１（Ｂ）の所定のバイブレータが振動することにより、作業センターより指示がきたこ
とを認識する。
【００７１】
作業者は現状の作業状況を作業センターに連絡するために、ＰＤＡ１（Ｂ）に対して動作
を行う。（例えば、＋Ｘ軸方向へ１回振ることで、「次の作業に移る準備ができている」
ことを示し、＋Ｙ軸方向へ１回で「もうすぐ現在の作業が終わる」ことを示し、＋Ｚ軸方
向へ１回で「現在の作業中のため応援が必要であること」示すように設定しておく。）例
えば、＋Ｚ軸方向へ１回振ると、ＰＤＡ１（Ｂ）が対応するバイブレータ７（Ｅ）が所定
の期間振動し、作業者は自分の動作をＰＤＡ１（Ｂ）がどのように認識したかを実感でき
る。
【００７２】
ＰＤＡ１（Ｂ）は検出した作業者の動作に対応するアプリケーション例えば、この場合は
「現在の作業中のため応援が必要であること」を送信することを表示。それでよければ、
作業者は承認の動作を行い、作業センターのＰＤＡ１（Ａ）に作業員の作業の状況を送信
する。
【００７３】
よって、作業員はＰＤＡ１の操作のために手袋をとって、操作スイッチ群の操作をしなく
ても、作業センターに作業状況を伝えることが可能となる。
【００７４】
また、ＰＤＡ１による電子商取引や家の電子キー等の認証コードとして使用することも可
能である。例えば、従来のＰＤＡ１であると認証コードは操作スイッチ群３に頼っていた
が、本実施例のＰＤＡ１を使用すれば、指先が不自由な場合でもＰＤＡ１に対する動作（
例えば、携帯電話機１を表示面の垂直方向の＋Ｚ軸方向に２回振る）を認証操作に入れる
ことができる。行った動作が記憶された動作と一致すれば、認証コードが承認され、電子
商取引を行うことや、家の鍵を開錠することが許可される。
【００７５】
このようにＰＤＡ１とその他の機器例えば、ＡＴＭシステムや家の施錠システムとのやり
とりにおいても、ＰＤＡ１に対する動作を認証コードに含めたることにより機密性の高い
認証方式を使用することが可能となる。よって、ＰＤＡ１の有用性を拡大することが可能
である。
【００７６】
このように本実施例は、ＰＤＡ１同士のやりとりまたはその他の機器とのやりとりにおい
ても本発明を適用することができるので、身体障害者または、特殊作業中で指が不自由、
または使用不可能な場合等の操作スイッチ群３を使用できない場合でも、ある指示または
要求に対して、ＰＤＡ１に対して所定の動作をすることにより、特定のアプリケーション
の指示等を送信した他のＰＤＡ１に送信することが可能になる。
【００７７】
さらに、所定の動作をするとＰＤＡ１が検出し、検出した動作に対応するバイブレータを
振動させることにより、ユーザーが自分の動作をＰＤＡ１がどのように認識したかを確認
できるので、誤動作が低減できる。
【００７８】
また、上記具体例でも説明したように、患者とのやりとり、特殊作業中の作業員とのやり
とりまたは、ＰＤＡ１による電子商取引や家の電子キー等の認証操作、さらにはエンター
テイメント機能（携帯電話機１への動作を利用したゲームの対戦等）としても使用するこ
とが可能となり、ＰＤＡ１の有用性または応用可能性を拡大することができる。
【００７９】
上述した実施例はＰＤＡについて説明したが、携帯電話機等のモバイル機器や電機製品の
リモコンであればよく、手の平で扱え、ある情報を処理できる機能を有し、またユーザー
がその携帯情報処理装置に対して行った動作をユーザーが体感できる機能を有していれば
よい。
【００８０】
また上述した実施例では、ユーザーが自分の行った動作を体感するのにバイブレータを使
用したが、スピーカーからの音、操作スイッチ群、または表示画面の点滅、色の変化によ
って、ユーザー自身が体感できればどのような方法でもよい。さらに利用者、利用状況に
よってどのような体感手段を使用するか選択できるようにしてもよい。
【００８１】
また、上述した実施例には種々の段階の発明が含まれており、開示される複数の構成要件
および工程における適宜な組み合わせにより種々の段階の発明が抽出される。例えば、実
施例に示される全構成要件から幾つかの構成要件を削除されても、もしくは全工程からい
くつかの工程が削除されても、発明が解決しようとする課題の欄で述べた課題が解決でき
、発明の効果の欄で述べられる効果が得られるような場合には、この構成要件が削除され
た構成が発明として抽出されえる。
【図面の簡単な説明】
【００８２】
【図１】本発明の一実施例の形態におけるＰＤＡの概観を示す概要図
【図２】本発明の一実施例の形態における加速度センサの検出する方向とそれに対応するバイブレータの配置を示す概要図
【図３】本発明の一実施例におけるＰＤＡの構成を示す概要図
【図４】本発明の一実施例の形態によるＰＤＡの操作方法を示したフローチャート
【図５】本発明の一実施例の形態によるＰＤＡでの動作およびアプリケーションの設定方法を示したフローチャート
【図６】本発明の一実施例の形態によるＰＤＡでの特定の動作を設定する画面
【図７】本発明の一実施例の形態によるＰＤＡの他の操作方法を示したフローチャート
【符号の説明】
【００８３】
１  携帯電話機
２  加速度センサ
３  操作スイッチ群
４  表示画面
５  スピーカ
６  マイクロフォン
７  バイブレータ
１１  制御装置
１２  バイブレータ制御装置
１３  音声制御装置
１４  表示制御装置
１５  送受信制御装置
１６  設定制御装置
【図１】
2006333355.tif 000003
【図２】
2006333355.tif 000004
【図３】
2006333355.tif 000005
【図４】
2006333355.tif 000006
【図５】
2006333355.tif 000007
【図６】
2006333355.tif 000008
【図７】
2006333355.tif 000009